(57)【要約】      （修正有）【課題】ハンディターミナルを保温又は保冷可能なカバーを提供する。【解決手段】ハンディターミナル１は、筐体１１の表面に配置された操作部及び表示部を有する。筐体１１は、操作部と対向するようにバッテリ１４を装着している。カバー１０は、ケース２と第１断熱カバー３を備える。ケース２は、筐体１１の裏面１ｂから着脱できる。第１断熱カバー３は、ケース２の外面を覆い、ケース２を横断するように取り付けできる。ケース２は、裏面１ｂに当接する主面２ａと、操作部の両側面を挟持する一対の第１折り曲げ片２ｅ・２ｆと、操作部の両縁部を支持する一対の第１縁片２１ｅ・２１ｆを有する。第１断熱カバー３は、化学カイロ３０を収納可能な第１袋体３１と、一対の第１縁片２１ｅ・２１ｆに係止する一対の第１係止片３２・３２を有する。【選択図】図１
2011105350.tif 000002
【特許請求の範囲】
【請求項１】
略直方体の筐体の正面に配置された操作部及び表示部を有し、前記筐体の背面から前記操作部と対向するようにバッテリを装着したハンディターミナルに着脱自在なカバーであって、
展開板を屈曲して構成され、前記筐体の背面から着脱自在なＣ形チャンネル状のケースと、
このケースの外面を覆い、当該ケースを横断するように取り付け可能な帯状の第１断熱カバーと、を備え、
前記ケースは、
前記筐体の背面に当接する主面と、
この主面の両翼が屈曲されて前記操作部の両側面を挟持する一対の第１折り曲げ片と、
これらの第１折り曲げ片の端部が屈曲されて前記操作部の両縁部を支持する一対の第１縁片と、を有し、
前記第１断熱カバーは、
中央部に設けられて化学カイロを収納可能な扁平な第１袋体と、
両翼に設けられて前記一対の第１縁片に係止する一対の第１係止片と、を有するハンディターミナル用カバー。
【請求項２】
前記ケースの外面を覆い、当該ケースを横断するように取り付け可能な帯状の第２断熱カバーを更に備え、
前記ケースは、
前記主面の両翼が屈曲されて前記表示部の両側面を挟持する一対の第２折り曲げ片と、
これらの第２折り曲げ片の端部が屈曲されて前記表示部の両縁部を支持する一対の第２縁片と、を更に有し、
前記第２断熱カバーは、
中央部に設けられて保冷剤を収納可能な扁平な第２袋体と、
両翼に設けられて前記一対の２縁片に係止する一対の第２係止片と、を有する請求項１記載のハンディターミナル用カバー。
【請求項３】
前記第１袋体は、前記筐体の背面から前記操作部の両側面に亘る請求項１記載のハンディターミナル用カバー。
【請求項４】
前記第１袋体は、複数の繊維が交差するように織られた網材からなる請求項１から３のいずれかに記載のハンディターミナル用カバー。
【請求項５】
前記主面は、前記化学カイロに対応する領域が開口している請求項１から４のいずれかに記載のハンディターミナル用カバー。
【発明の詳細な説明】
【技術分野】
【０００１】
本発明は、ハンディターミナル用カバーに関する。特に、電力量などを検針するハンディターミナルに用いられるカバーであって、ハンディターミナルを保温又は保冷可能なカバーの構造に関する。
【背景技術】
【０００２】
一般に、電力量などを検針するハンディターミナル（携帯情報端末）は、その筐体の表面（正面）に操作部と表示部を備えている。操作部には、複数の入力ボタンを配置している。表示部は、例えば、液晶パネルで構成されている。又、筐体の上部には、顧客データを送受信するアンテナを設けている。
【０００３】
このようなハンディターミナルは、顧客データが内部に記録されている。ハンディターミナルが紛失又は盗難の事態になると、顧客データが第三者に漏洩するという危険性がある。
【０００４】
したがって、顧客データなどの個人情報が記憶されたハンディターミナルにおいて、そのセキュリティ対策を向上させたハンディターミナルが開示されている（例えば、特許文献１参照）。
【先行技術文献】
【特許文献】
【０００５】
【特許文献１】特開２００９−１５４２３号公報
【発明の概要】
【発明が解決しようとする課題】
【０００６】
特許文献１に開示されたようなハンディターミナルは、屋外で使用されることが多い。そして、ハンディターミナルを冬場の寒冷地で携帯使用すると、内装されたバッテリ（電池パック）を著しく消耗させるので、ハンディターミナルが正常に動作する時間が短くなる。したがって、検針業務の効率を低下させるという問題がある。
【０００７】
又、ハンディターミナルを夏場の温暖地で携帯使用すると、内部の電子部品が加温されて、ハンディターミナルが正常に動作しないことがある。したがって、検針業務の効率を低下させるという問題がある。
【０００８】
ハンディターミナルの本来の利便性を阻害することなく、ハンディターミナルを保温又は保冷可能なカバーが実現できれば、ハンディターミナルの正常な稼動時間が増えて、検針業務の効率を向上できる。そして、以上のことが本発明の課題といってよい。
【０００９】
本発明は、このような課題に鑑みてなされたものであり、ハンディターミナルを保温又は保冷可能なハンディターミナル用カバーを提供することを目的とする。
【課題を解決するための手段】
【００１０】
本発明者は、ハンディターミナルの裏面から着脱できるようにカバーを構成し、化学カイロ又は保冷剤を収容するポケットをカバーに設けることにより、この課題が解決可能なことを見出し、これに基づいて、以下のような新たなハンディターミナル用カバーを発明するに至った。
【００１１】
（１）本発明によるハンディターミナル用カバーは、略直方体の筐体の正面に配置された操作部及び表示部を有し、前記筐体の背面から前記操作部と対向するようにバッテリを装着したハンディターミナルに着脱自在なカバーであって、展開板を屈曲して構成され、前記筐体の背面から着脱自在なＣ形チャンネル状のケースと、このケースの外面を覆い、当該ケースを横断するように取り付け可能な帯状の第１断熱カバーと、を備え、前記ケースは、前記筐体の背面に当接する主面と、この主面の両翼が屈曲されて前記操作部の両側面を挟持する一対の第１折り曲げ片と、これらの第１折り曲げ片の端部が屈曲されて前記操作部の両縁部を支持する一対の第１縁片と、を有し、前記第１断熱カバーは、中央部に設けられて化学カイロを収納可能な扁平な第１袋体と、両翼に設けられて前記一対の第１縁片に係止する一対の第１係止片と、を有する。
【００１２】
（２）本発明によるハンディターミナル用カバーは、前記ケースの外面を覆い、当該ケースを横断するように取り付け可能な帯状の第２断熱カバーを更に備え、前記ケースは、前記主面の両翼が屈曲されて前記表示部の両側面を挟持する一対の第２折り曲げ片と、これらの第２折り曲げ片の端部が屈曲されて前記表示部の両縁部を支持する一対の第２縁片と、を更に有し、前記第２断熱カバーは、中央部に設けられて保冷剤を収納可能な扁平な第２袋体と、両翼に設けられて前記一対の２縁片に係止する一対の第２係止片と、を有する。
【００１３】
（３）前記第１袋体は、前記筐体の背面から前記操作部の両側面に亘ることが好ましい。
【００１４】
（４）前記第１袋体は、複数の繊維が交差するように織られた網材からなることが好ましい。
【００１５】
（５）前記主面は、前記化学カイロに対応する領域が開口していることが好ましい。
【発明の効果】
【００１６】
本発明によるハンディターミナル用カバーは、ハンディターミナルの背面から着脱できるようにカバーを構成し、筐体に内装されたバッテリを化学カイロが囲って保温するので、バッテリの消耗を防止できる。
【００１７】
又、本発明によるハンディターミナル用カバーは、ハンディターミナルの背面から着脱できるようにカバーを構成し、筐体の内部の電子部品を保冷剤が覆って保冷するので、電子部品が正常に機能し、ハンディターミナルの正常な稼動時間を増加できる。
【図面の簡単な説明】
【００１８】
【図１】本発明の一実施形態によるハンディターミナル用カバーの構成を示す斜視分解組立図であり、ハンディターミナルを裏面側から観ている。
【図２】前記実施形態によるハンディターミナル用カバーの構成を示す斜視分解組立図であり、ハンディターミナルを表面側から観ている。
【図３】前記実施形態によるハンディターミナル用カバーの正面図であり、ハンディターミナル用カバーをハンディターミナルの裏面側から取り付けた状態図である。
【図４】前記実施形態によるハンディターミナル用カバーの縦断面図であり、図３のＸ−Ｘ矢視図である。
【図５】前記実施形態によるハンディターミナル用カバーの横断面図であり、図３のＹ１−Ｙ１矢視図である。
【図６】前記実施形態によるハンディターミナル用カバーの横断面図であり、図３のＹ２−Ｙ２矢視図である。
【発明を実施するための形態】
【００１９】
以下、図面を参照して本発明を実施するための形態を説明する。
［ハンディターミナル用カバーの構成］
最初に、本発明の一実施形態によるハンディターミナル用カバーの構成を説明する。図１は、本発明の一実施形態によるハンディターミナル用カバーの構成を示す斜視分解組立図であり、ハンディターミナルを裏面側から観ている。図２は、前記実施形態によるハンディターミナル用カバーの構成を示す斜視分解組立図であり、ハンディターミナルを表面側から観ている。
【００２０】
図１又は図２を参照すると、ハンディターミナル１は、合成樹脂などで成形された略直方体の筐体１１を有している。そして、ハンディターミナル１は、操作部１２及び表示部１３を筐体１１の表面（正面）１ａに配置している。
【００２１】
又、ハンディターミナル１は、筐体１１の裏面（背面）１ｂから、操作部１２と対向するようにバッテリ１４を装着している。裏面１ｂに設けた蓋１５を開くと、バッテリ１４を着脱できる。筐体１１の上面１ｃには、アンテナ１６を設けている。
【００２２】
操作部１２には、複数の入力ボタン１２ａを配置している。表示部１３は、液晶パネルで構成されている。筐体１１の操作部１２側の両側面１ｅ・１ｆは、筐体１１の表示部１３側の両側面１ｇ・１ｈより、横幅が狭くなっている。操作部１２の操作面は、表示部１３の表示面より低くなっている。筐体１１の裏面１ｂは、平坦に形成されている。
【００２３】
本発明の一実施形態によるハンディターミナル用カバー（以下、カバーと略称する）１０は、ハンディターミナル１の裏面１ｂから着脱できる。そして、カバー１０は、Ｃ形チャンネル状のケース２と帯状の第１断熱カバー３を備えている。
【００２４】
ケース２は、合成樹脂からなる、図示しない展開板が成形されて構成されている。ケース２は、金属製の展開板を折り曲げ成形してもよい。そして、ケース２は、筐体１１の裏面１ｂから着脱できる。第１断熱カバー３は、ケース２の外面を覆うことができる。そして、第１断熱カバー３は、ケース２を横断するように取り付けることができる。
【００２５】
ケース２は、主面２ａ、一対の第１折り曲げ片２ｅ・２ｆ、及び一対の第１縁片２１ｅ・２１ｆを有している。主面２ａは、筐体１１の裏面１ｂに当接できる。一対の第１折り曲げ片２ｅ・２ｆは、主面２ａの両翼が略直角に屈曲されて、対向している。そして、筐体１１の操作部１２側の両側面１ｅ・１ｆを挟持できる。
【００２６】
一対の第１縁片２１ｅ・２１ｆは、一対の第１折り曲げ片２ｅ・２ｆの端部が略直角に屈曲されて、主面２ａに対向している。又、一対の第１縁片２１ｅ・２１ｆは、操作部１２の操作面を隠蔽しない程度に離間している。そして、一対の第１縁片２１ｅ・２１ｆは、操作部１２の両縁部を支持できる。
【００２７】
第１断熱カバー３は、扁平な第１袋体３１と一対の第１係止片３２・３２を有している。第１断熱カバー３は、折り曲げ自在な合成皮革などからなり、化学カイロ３０を収納可能な第１袋体３１を中央部に設けている。又、第１断熱カバー３は、一対の第１縁片２１ｅ・２１ｆに係止する一対の第１係止片３２・３２を両翼に設けている。
【００２８】
第１袋体３１は、複数の繊維が交差するように織られた網材からなり、矩形の網材の三辺が折り返されている。そして、この三辺が第１断熱カバー３の正面（内面側）に貼着されている。一対の第１係止片３２・３２は、実体として薄膜の帯状の合成皮革などからなる。そして、第１係止片３２の三辺の周囲を第１断熱カバー３の端部に袋状に縫製している。
【００２９】
引き続き、カバー１０の構成を説明する。図３は、前記実施形態によるハンディターミナル用カバーの正面図であり、ハンディターミナル用カバーをハンディターミナルの裏面側から取り付けた状態図である。
【００３０】
図４は、前記実施形態によるハンディターミナル用カバーの縦断面図であり、図３のＸ−Ｘ矢視図である。図５は、前記実施形態によるハンディターミナル用カバーの横断面図であり、図３のＹ１−Ｙ１矢視図である。図６は、前記実施形態によるハンディターミナル用カバーの横断面図であり、図３のＹ２−Ｙ２矢視図である。
【００３１】
図１から図６を参照すると、カバー１０は、帯状の第２断熱カバー４を更に備えている。第２断熱カバー４は、ケース２の外面を覆うことができる。そして、第２断熱カバー４は、ケース２を横断するように取り付けることができる。
【００３２】
ケース２は、一対の第２折り曲げ片２ｇ・２ｈと一対の第２縁片２１ｇ・２１ｈを更に有している。一対の第２折り曲げ片２ｇ・２ｈは、主面２ａの両翼が略直角に屈曲されて、対向している。そして、筐体１１の表示部１３側の両側面１ｇ・１ｈを挟持できる。
【００３３】
一対の第２縁片２１ｇ・２１ｈは、一対の第２折り曲げ片２ｇ・２ｈの端部が略直角に屈曲されて、主面２ａに対向している。又、一対の第２縁片２１ｇ・２１ｈは、表示部１３の表示面を隠蔽しない程度に離間している。そして、一対の第２縁片２１ｇ・２１ｈは、表示部１３の両縁部を支持できる。
【００３４】
又、ケース２は、一対の第３折り曲げ片２ｃ・２ｄと一対の第３縁片２１ｃ・２１ｄを有している。一対の第３折り曲げ片２ｃ・２ｄは、主面２ａの両端部が略直角に屈曲されて、対向している。そして、筐体１１の上面１ｃ及び下面１ｄを挟持できる。
【００３５】
一対の第３縁片２１ｃ・２１ｄは、一対の第３折り曲げ片２ｃ・２ｄの端部が略直角に屈曲されて、主面２ａに対向している。又、一対の第３縁片２１ｃ・２１ｄは、表示部１３の表示面及び操作部１２の操作面を隠蔽しない程度に延出している。そして、一対の第３縁片２１ｃ・２１ｄは、筐体１１の上下縁部を支持できる。
【００３６】
第２断熱カバー４は、扁平な第２袋体４１と一対の第２係止片４２・４２を有している。第２断熱カバー４は、折り曲げ自在な合成皮革などからなり、保冷剤４０を収納可能な第２袋体４１を中央部に設けている。又、第２断熱カバー４は、一対の第２縁片２１ｇ・２１ｈに係止する一対の第２係止片４２・４２を両翼に設けている。
【００３７】
第２袋体４１は、複数の繊維が交差するように織られた網材からなり、矩形の網材の三辺が折り返されている。そして、この三辺が第２断熱カバー４の裏面（内面側）に貼着されている。一対の第２係止片４２・４２は、実体として薄膜の帯状の合成皮革などからなる。そして、第２係止片４２の三辺の周囲を第２断熱カバー４の端部に袋状に縫製している。
【００３８】
図１又は図２を参照すると、主面２ａは、化学カイロ３０に対応する領域に矩形の開口２３を設けている。一対の第１折り曲げ片２ｅ・２ｆには、その長手方向に沿って、複数の穴２３１を開口している。
【００３９】
又、図１又は図２を参照すると、主面２ａは、保冷剤４０に対応する領域に矩形の開口２４を設けている。一対の第２折り曲げ片２ｇ・２ｈには、その長手方向に沿って、複数の穴２４１を開口している。
【００４０】
［ハンディターミナル用カバーの作用］
次に、本発明の実施形態によるカバー１０の使用手順及び作用を説明する。図１から図６を参照すると、ハンディターミナル１を冬場の寒冷地で携帯使用するときには、カバー１０は、ケース２、第１断熱カバー３、及び化学カイロ３０を用いて、バッテリ１４を保温できる。
【００４１】
予め、第１断熱カバー３をケース２に取り付けておく。この場合、一対の第１係止片３２・３２を一対の第１縁片２１ｅ・２１ｆに係止すると、第１袋体３１が主面２ａに対向するように構成されている。
【００４２】
次に、第１折り曲げ片２ｅ・２ｆ、第２折り曲げ片２ｇ・２ｈ、及び第３折り曲げ片２ｃ・２ｄを互いに外側に開くように変形して、主面２ａが筐体１１の裏面１ｂに当接した状態で、これらの折り曲げ片を解放する。そして、これらの折り曲げ片が弾性復帰して、第１断熱カバー３と共にケース２をハンディターミナル１に支持できる。
【００４３】
次に、化学カイロ３０の内容物が化学反応を起こす状態にして、化学カイロ３０を第１袋体３１に収容する。図１に示された状態では、上面１ｃから下面１ｄに向かって、化学カイロ３０を第１袋体３１に挿入する。しかし、第１断熱カバー３を反転して、ケース２に取り付けておけば、下面１ｄから上面１ｃに向かって、化学カイロ３０を第１袋体３１に挿入することもできる。
【００４４】
そして、実施形態によるカバー１０は、筐体１１に内装されたバッテリ１４を化学カイロ３０が囲って保温するので、バッテリ１４の消耗を防止できる。図６に示された化学カイロ３０は、比較的大判のサイズの化学カイロ３０を使用している。したがって、化学カイロ３０は、筐体１１の裏面１ｂから操作部１２の両側面１ｅ・１ｆに亘り保温できる。
【００４５】
つまり、図１を参照すると、第１袋体３１は、筐体１１の裏面１ｂから操作部１２の両側面１ｅ・１ｆに亘り、化学カイロ３０が覆う容積を有している。化学カイロ３０は、比較的中判のサイズの化学カイロ３０を使用してもよく、化学カイロ３０が筐体１１の裏面１ｂを保温するだけでもよい。
【００４６】
図１を参照すると、第１袋体３１は、複数の繊維が交差するように織られた網材で構成されているので、化学カイロ３０の発熱が効率よく、筐体１１に伝熱されると考えられる。又、主面２ａは、化学カイロ３０に対応する領域が開口しているので、筐体１１に直接的に伝熱できる。
【００４７】
実施形態によるカバー１０を用いれば、低温に起因するバッテリ１４の消耗を防止でき、バッテリ１４の寿命が長くなる。又、実施形態によるカバー１０を用いれば、バッテリ１４の交換が少なくなり、検針の作業効率が向上する。更に、実施形態によるカバー１０を用いれば、バッテリ１４の購入が減らすことができ、作業コストを低減できる。
【００４８】
一方、図１から図６を参照すると、ハンディターミナル１を夏場の温暖地で携帯使用するときには、カバー１０は、ケース２、第２断熱カバー４、及び保冷剤４０を用いて、筐体１１の内部の電子部品を保冷できる。
【００４９】
予め、第２断熱カバー４をケース２に取り付けておく。この場合、一対の第２係止片４２・４２を一対の第２縁片２１ｇ・２１ｈに係止すると、第２袋体４１が主面２ａに対向するように構成されている。
【００５０】
次に、第１折り曲げ片２ｅ・２ｆ、第２折り曲げ片２ｇ・２ｈ、及び第３折り曲げ片２ｃ・２ｄを互いに外側に開くように変形して、主面２ａが筐体１１の裏面１ｂに当接した状態で、これらの折り曲げ片を解放する。そして、これらの折り曲げ片が弾性復帰して、第２断熱カバー４と共にケース２をハンディターミナル１に支持できる。
【００５１】
次に、保冷剤４０の内容物が反応を起こす状態にして、保冷剤４０を第２袋体４１に収容する。図２に示された状態では、上面１ｃから下面１ｄに向かって、保冷剤４０を第２袋体４１に挿入する。しかし、第２断熱カバー４を反転して、ケース２に取り付けておけば、下面１ｄから上面１ｃに向かって、保冷剤４０を第２袋体４１に挿入することもできる。
【００５２】
そして、実施形態によるカバー１０は、筐体１１の内部の電子部品を保冷剤４０が覆って保冷するので、電子部品が正常に機能し、ハンディターミナル１の正常な稼動時間を増加できる。
【００５３】
図２を参照すると、第２袋体４１は、複数の繊維が交差するように織られた網材で構成されているので、保冷剤４０の冷熱が効率よく、筐体１１に伝熱されると考えられる。又、主面２ａは、保冷剤４０に対応する領域が開口しているので、筐体１１に直接的に伝熱できる。
【００５４】
実施形態によるカバー１０を用いれば、高温に起因する電子部品の機能低下を防止できる。又、実施形態によるカバー１０を用いれば、電子部品の機能低下時間が少なくなり、検針の作業効率が向上する。
【００５５】
実施形態によるカバー１０は、操作部１２の操作面及び表示部１３の表示面を隠蔽することなく、筐体１１を保温又は保冷できるので、ハンディターミナル１の正常な稼動時間が増えて、検針業務の効率を向上できる。
【００５６】
実施形態によるカバー１０は、電力量などを検針するハンディターミナルに適用されるが、ハンディターミナルは、電力量を検針するものに限定されない。ハンディターミナルは、ガス使用量又は水道使用量を検針するものであってもよい。
【符号の説明】
【００５７】
１  ハンディターミナル
１ａ  表面（正面）
１ｂ  裏面（背面）
１ｅ・１ｆ  両側面（操作部の両側面）
２  ケース
２ａ  主面
２ｅ・２ｆ  一対の第１折り曲げ片
３  第１断熱カバー
１０  カバー（ハンディターミナル用カバー）
１１  筐体
１２  操作部
１３  表示部
１４  バッテリ
２１ｅ・２１ｆ  一対の第１縁片
３０  化学カイロ
３１  第１袋体
３２・３２  一対の第１係止片
【図１】
2011105350.tif 000003
【図２】
2011105350.tif 000004
【図３】
2011105350.tif 000005
【図４】
2011105350.tif 000006
【図５】
2011105350.tif 000007
【図６】
2011105350.tif 000008